(57)【要約】  情報記録媒体を出し入れする搬送手段を小型化して、全体を小型化することを可能とする情報記録媒体再生装置を提供する。  ＣＤチェンジャ１は機器本体とディスク搬送部４を備えている。ディスク搬送部４は機器本体にＣＤを出し入れする。ディスク搬送部４は搬送ローラ１３とガイド部材８２を備えている。搬送ローラ１３とガイド部材８２とは互いに近づく方向に付勢されている。機器本体はディスク搬送部４がＣＤを出し入れする出入位置に位置付けられると搬送ローラ１３をガイド部材８２から離す押圧部材８０，８１を備えている。【特許請求の範囲】
【請求項１】
情報記録媒体を収容する機器本体と、
前記機器本体に挿入された前記情報記録媒体を、前記機器本体の収容位置に搬送する搬送手段と、
を備えた情報記録媒体再生装置において、
前記搬送手段は、前記機器本体において収容されている前記情報記録媒体の主面に交差する方向に所定区間移動するとともに、
搬送される前記情報記録媒体を挟持する一対の挟持部材を備え、
前記挟持部材は、前記所定区間の１の位置においては前記情報記録媒体の主面に交差する方向に互いに離間し、前記所定区間の他の位置においては互いに近接することを特徴とする情報記録媒体再生装置。
【請求項２】
前記１の位置は、前記所定区間の一方の終端付近であり、前記他の位置は、前記所定区間の他方の終端付近であることを特徴とする請求項１に記載の情報記録媒体再生装置。
【請求項３】
前記情報記録媒体から情報を読み出す再生手段と、
前記搬送手段と前記再生手段を共に支持する支持手段を備え、
前記支持手段の移動により、前記搬送手段が前記再生手段と共に前記所定区間移動することを特徴とする請求項１に記載の情報記録媒体再生装置。
【発明の詳細な説明】
【技術分野】
【０００１】
本発明は、情報記録媒体再生装置に関し、更に詳しくは、例えば、情報記録媒体を機器本体内に収容し、この情報記録媒体に記録された情報を再生する情報記録媒体再生装置に関する。
【背景技術】
【０００２】
コンパクトディスク（以下、ＣＤと記す）などの情報記録媒体１０７（図１に示す）を複数枚収容し、これら複数の情報記録媒体１０７から任意の一つの情報記録媒体１０７の情報を再生する情報記録媒体再生装置（例えば、特許文献１参照）が用いられている。この種の情報記録媒体再生装置は、例えば、自動車などに搭載されるとともに、機器本体１０５（図１に示す）と、複数の保持部材と、分離機構と、再生機構と、搬送手段１０１（図１に示す）などを備えている。【０００３】
機器本体１０５は、扁平な箱状に形成されている。保持部材は、情報記録媒体１０７を保持する。複数の保持部材は、互いに重ねられた格好で機器本体１０５内に収容されている。分離機構は、複数の保持部材それぞれを、これらの保持部材が重なる方向に沿って移動する。分離機構は、複数の保持部材を移動して、情報を再生する情報記録媒体１０７を保持した一つの保持部材を、他の保持部材から離す。【０００４】
再生機構は、機器本体１０５に一端部を中心として回転自在に設けられた揺動シャーシと、この揺動シャーシ上に設置されたピックアップ駆動部とを備えている。ピックアップ駆動部は、揺動シャーシに移動自在に設けられた移動フレームと、この移動フレーム上に設けられたターンテーブルと、光ピックアップと、を備えている。ターンテーブルは、情報記録媒体をクランプして、この情報記録媒体を回転する。光ピックアップは、ターンテーブルに接離して、情報記録媒体の情報記録面の所定の位置から情報を読み出す。【０００５】
搬送手段１０１は、前記機器本体１０５に設けられた情報記録媒体１０７を出し入れするための挿入口１０２の近傍に設けられている。搬送手段１０１は、図１（ａ）及び図１（ｂ）に示すように、搬送ローラ１０３と、ガイド部材１０４とを備えている。搬送ローラ１０３は、機器本体１０５に固定されており、ローラ１０６を回転自在に支持している。ガイド部材１０４は、機器本体１０５に固定されており、前述した情報記録媒体１０７との摩擦係数の小さな樹脂などからなり板状に形成されている。ガイド部材１０４は、搬送ローラ１０３に回転自在に支持されたローラ１０６と間隔をあけて配されている。【０００６】
前述した搬送手段１０１は、搬送ローラ１０３とガイド部材１０４との間に情報記録媒体１０７を位置付け、前記ローラ１０６とガイド部材１０４との間に情報記録媒体１０７を挟んで、ローラ１０６を回転することで、情報記録媒体１０７を機器本体１０５に出し入れする。前述した情報記録媒体再生装置は、分離機構が一つの情報記録媒体１０７を保持した保持部材を、他の保持部材から離す。【０００７】
そして、情報記録媒体再生装置は、再生機構の揺動シャーシが一端部を中心として回転することで、ピックアップ駆動部が、前述した一つの情報記録媒体１０７と他の情報記録媒体１０７との間に侵入する。情報記録媒体再生装置は、光ピックアップが情報記録媒体１０７から情報を読み出して、この読み出した情報を再生する。また、情報記録媒体再生装置は、分離機構が保持部材を移動する際には、揺動シャーシ則ちピックアップ駆動部が前述した一つの情報記録媒体１０７と他の情報記録媒体１０７との間から抜け出る。
【特許文献１】特開２００３−３３１４９６号公報
【発明の開示】
【発明が解決しようとする課題】
【０００８】
図１に例示された従来の情報記録媒体再生装置の搬送手段１０１は、前述した搬送ローラ１０３と、ガイド部材１０４との双方が機器本体１０５に固定されている。このため、複数の保持部材が重なる方向に移動する際に、搬送手段１０１及び揺動シャーシと複数の保持部材が干渉（接触）しないように、情報記録媒体再生装置の奥行きサイズが拡大する傾向であった。【０００９】
情報記録媒体再生装置の奥行きを小型化するために、揺動シャーシを使用者からみて機器本体１０５の右側面に配し、揺動シャーシと搬送手段１０１とを上下に重ねて、ともに上下移動させるようにすることが考えられる。このとき、搬送手段１０１は、搬送ローラ１０３とガイド部材１０４とを含めた全体の厚みＤａが厚くなる傾向であった。則ち、搬送手段１０１が大型化し、機器本体１０５が厚くなり、機器本体１０５が大型化する傾向であった。【００１０】
本発明の目的は、例えば、情報記録媒体を出し入れする搬送手段を小型化して、全体を小型化することを可能とする情報記録媒体再生装置を提供することにある。
【課題を解決するための手段】
【００１１】
前記課題を解決し目的を達成するために、本発明の情報記録媒体再生装置は、情報記録媒体を収容する機器本体と、前記機器本体に挿入された前記情報記録媒体を、前記機器本体の収容位置に搬送する搬送手段と、を備えた情報記録媒体再生装置において、前記搬送手段は、前記機器本体において収容されている前記情報記録媒体の主面に交差する方向に所定区間移動するとともに、搬送される前記情報記録媒体を挟持する一対の挟持部材を備え、前記挟持部材は、前記所定区間の１の位置においては前記情報記録媒体の主面に交差する方向に互いに離間し、前記所定区間の他の位置においては互いに近接することを特徴としている。
【図面の簡単な説明】
【００１２】
【図１】従来のＣＤチェンジャの搬送手段を説明する説明図であり、（ａ）は搬送手段などの側面図であり、（ｂ）は搬送手段の正面図である。
【図２】本発明の一実施例にかかる情報記録媒体再生装置としてのＣＤチェンジャの外観を示す斜視図である。
【図３】図２に示されたＣＤチェンジャの互いに組み付けられた固定シャーシとディスク搬送部とディスク再生部とディスク収容部と分離機構を示す斜視図である。
【図４】図３に示された固定シャーシとディスク再生部とディスク収容部との一部を分解して示す斜視図である。
【図５】図４に示されたディスク収容部と駆動シャーシとの組み付け状態を示す斜視図である。
【図６】図３に示されたディスク収容部のホルダと離間溝拡縮機構とを示す斜視図である。
【図７】図６に示された離間溝拡縮機構を拡大して示す斜視図である。
【図８】図７に示された離間溝拡縮機構の移動部材が第２壁から最も離れて一つのホルダの突起と案内溝とが相対した状態を示す斜視図である。
【図９】図８に示された状態の離間溝拡縮機構のカム部材等を回転して突起を案内溝の再生部に位置付けた状態を示す斜視図である。
【図１０】図７に示された離間溝拡縮機構のカム部材が第２壁に最も近づいて一つのホルダの突起と案内溝とが相対した状態を示す斜視図である。
【図１１】図１０に示された状態の離間溝拡縮機構のカム部材等を回転して突起を案内溝のローディング部に位置付けた状態を示す斜視図である。
【図１２】図７に示された離間溝拡縮機構を拡大して示す斜視図である。
【図１３】図１２に示された離間溝拡縮機構のカム部材と移動部材が最も上方に位置した状態を示す斜視図である。
【図１４】図１２に示された離間溝拡縮機構の移動部材が最も上方に位置しカム部材が中央部に位置した状態を示す斜視図である。
【図１５】図１２に示された離間溝拡縮機構を分解して示す斜視図である。
【図１６】図７に示された離間溝拡縮機構のカム部材、回転部材及び移動部材をこれらの周方向に展開して示す展開図である。
【図１７】図１６に示されたカム部材の案内溝を一つのホルダの突起と相対させた状態を模式的に示す展開図である。
【図１８】図１７に示された状態からカム部材等を回転して、案内溝内に突起を挿入し始めた状態を模式的に示す展開図である。
【図１９】図１８に示された状態からカム部材等を更に回転して、案内溝のローディング部内に突起が位置した状態を模式的に示す展開図である。
【図２０】図１９に示された状態からカム部材等を更に回転して、案内溝のピックアップ侵入部内に突起が位置した状態を模式的に示す展開図である。
【図２１】図２０に示された状態からカム部材等を更に回転して、案内溝のクランプ部内に突起を位置付けた状態を模式的に示す展開図である。
【図２２】図２１に示された状態からカム部材等を更に回転して、案内溝の再生部内に突起を位置付けた状態を模式的に示す展開図である。
【図２３】図２２に示された下から２つ目のホルダの突起を案内溝の再生部内に位置付けた状態を模式的に示す展開図である。
【図２４】図２２に示された上から２つ目のホルダの突起を案内溝の再生部内に位置付けた状態を模式的に示す展開図である。
【図２５】図１６に示されたカム部材を第２壁に最も近づけた状態を模式的に示す展開図である。
【図２６】図２５に示されたカム部材の案内溝に一つのホルダの突起を相対させた状態を模式的に示す展開図である。
【図２７】図２６に示された状態からカム部材等を回転して、案内溝内に突起を挿入し始めた状態を模式的に示す展開図である。
【図２８】図２７に示された状態からカム部材等を更に回転して、案内溝のローディング部内に突起を位置付けた状態を模式的に示す展開図である。
【図２９】図２８に示された上から２つ目のホルダの突起を案内溝のローディング部内に位置付けた状態を模式的に示す展開図である。
【図３０】図２８に示された下から２つ目のホルダの突起を案内溝のローディング部内に位置付けた状態を模式的に示す展開図である。
【図３１】図１６に示された状態の連動移動機構を示す平面図である。
【図３２】図１７に示された状態の連動移動機構を示す平面図である。
【図３３】図２３に示された状態の連動移動機構を示す平面図である。
【図３４】図２４に示された状態の連動移動機構を示す平面図である。
【図３５】図２５に示された状態の連動移動機構を示す平面図である。
【図３６】図２６に示された状態の連動移動機構を示す平面図である。
【図３７】図２９に示された状態の連動移動機構を示す平面図である。
【図３８】図３０に示された状態の連動移動機構を示す平面図である。
【図３９】図２に示されたＣＤチェンジャのホルダとディスク搬送部などを示す平面図である。
【図４０】図２に示されたＣＤチェンジャのディスク搬送部が退避位置に位置付けられた状態を示す斜視図である。
【図４１】図２に示されたＣＤチェンジャのディスク搬送部が出入位置に位置付けられた状態を示す斜視図である。
【図４２】図２に示されたＣＤチェンジャのディスク搬送部が出入位置に位置付けられた状態を他の方向からみた斜視図である。
【図４３】図２に示されたＣＤチェンジャのディスク搬送部が退避位置に位置付けられた状態を模式的に示す正面図である。
【図４４】図２に示されたＣＤチェンジャのディスク搬送部が出入位置に位置付けられた状態を模式的に示す正面図である。
【図４５】図４３中の矢印Ａ方向からみたディスク搬送部を模式的に示す側面図である。
【図４６】図４４中の矢印Ｃ方向からみたディスク搬送部を模式的に示す側面図である。
【図４７】図４３中の矢印Ｂ方向からみたディスク搬送部を模式的に示す側面図である。
【図４８】図４４中の矢印Ｄ方向からみたディスク搬送部を模式的に示す側面図である。
【符号の説明】
【００１３】
１  ＣＤチェンジャ（情報記録媒体再生装置）
２  ＣＤ（情報記録媒体）
３  機器本体
４  ディスク搬送部（搬送手段）
５  ディスク再生部
１３  搬送ローラ（挟持部材）
１６  移動シャーシ（支持手段）
８０，８１  押圧部材（押圧手段）
８２  ガイド部材（挟持部材）
８２ａ  突部
Ｋ  ＣＤの主面に交差する方向（情報記録媒体の主面に交差する方向）
【発明を実施するための最良の形態】
【００１４】
以下、本発明の一実施形態にかかる情報記録媒体再生装置を説明する。本発明の一実施形態にかかる情報記録媒体再生装置は、搬送手段が移動する所定区間の１の位置において挟持部材を互いに離し、他の位置において挟持部材を互いに近接させる。こうすることで、一対の挟持部材を含んだ搬送手段全体の厚みを抑制している。こうして、搬送手段則ち情報記録媒体再生装置全体の小型化を可能としている。【００１５】
また、１の位置は所定区間の一方の終端付近で良く、他の位置は所定区間の他方の終端付近で良い。【００１６】
また、搬送手段が情報記録媒体から情報を読み出す再生手段と連動して、情報記録媒体の主面に対し交差する方向に沿って移動しても良い。
【実施例】
【００１７】
以下、本発明の一実施例にかかる情報記録媒体再生装置の一例としてのＣＤチェンジャ１を、図２ないし図４８に基づいて説明する。図２などに示すＣＤチェンジャ１は、自動車などの移動体に装備されて、情報記録媒体としてのＣＤ２（図３などに示す）を複数収容して、これらのＣＤ２から任意のＣＤ２に記録された情報を読み出（再生）して、音声として出力する装置である。本明細書に記したディスク形情報記録媒体即ちＣＤ２は、勿論、円板状即ちディスク状に形成されており、コンピュータなどの電子機器で読みとることのできる情報を記録した情報記録媒体である。【００１８】
ＣＤチェンジャ１は、図３に示すように、機器本体３（図２に示す）と、図示しない操作部と、搬送手段としてのディスク搬送部４と、ディスク再生部５と、移動手段としての移動機構６０（図４に示す）と、収容部としてのディスク収容部６と、分離手段としての分離機構７とを備えている。なお、以下、図３中の矢印ＸをＣＤチェンジャ１の幅方向と記し、矢印ＹをＣＤチェンジャ１の奥行き方向と記し、矢印ＺをＣＤチェンジャ１の厚み方向と記す。【００１９】
機器本体３は、板金からなる図２に示す外側ケース８と、板金などからなる図３などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。【００２０】
固定シャーシ９は、外側ケース８内に収容されているとともに、該外側ケース８に固定されている。固定シャーシ９は、図４に示すように、板状の底板１１と、この底板１１の外縁から立設した周板１２と、底板１１と間隔をあけて相対する天井板（図示せず）を備えている。底板１１は、外側ケース８の図２中下側に位置する壁上に重ねられている。【００２１】
天井板は、周板１２の底板１１から離れた側の縁に連なっている。天井板は、底板１１と平行に配されている。天井板は、本明細書に記した一方側則ち後述の矢印Ｋ１側の壁をなしている。底板１１は、本明細書に記した他方側則ち後述の矢印Ｋ２側の壁をなしている。前述した構成の機器本体３は、ＣＤ２を収容するディスク収容部６を収容することで、複数枚のＣＤ２を収容する。【００２２】
さらに、前述した機器本体３は、一対の押圧部材８０，８１（図４３及び図４４に示す）を備えている。一対の押圧部材８０，８１は、ディスク搬送部４を、機器本体３の幅方向Ｘに沿って互いの間に位置付けている。押圧部材８０，８１は、前述した挿入口１０の近傍に配されている。一方の押圧部材８０（図４２に示す）は、前述した固定シャーシ９の底板１１から立設している。他方の押圧部材８１（図４０及び図４１に示す）は、前述した固定シャーシ９の挿入口１０が形成された周板１２から機器本体３の奥行きＹ方向に沿って該機器本体３の奥に向かって延びている。【００２３】
前述した押圧部材８０，８１は、ディスク搬送部４が後述の出入位置に位置付けられると、後述の搬送ローラ１３の突出ピン８６，８７と接触して、搬送ローラ１３のローラ１４をコイルばね８５の付勢力に抗して、ガイド部材８２から離れる方向に押圧する。そして、押圧部材８０，８１は、ディスク搬送部４が後述の出入位置に位置付けられると、搬送ローラ１３のローラ１４をガイド部材８２から離す。このように、押圧部材８０，８１は、ディスク搬送部４が後述の出入位置に位置付けられると、ローラ１４則ち搬送ローラ１３と当接して、該搬送ローラ１３をガイド部材８２から離して、搬送ローラ１３のローラ１４とガイド部材８２とが互いの間にＣＤ２を挟むことを許容する。前述した押圧部材８０，８１は、本明細書に記した押圧手段をなしている。【００２４】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。【００２５】
ディスク搬送部４は、図３９に示すように、機器本体３内に収容されており、前述した挿入口１０の近傍に配されている。ディスク搬送部４は、図４３〜図４８に示すように、搬送ローラ１３と、ガイド部材８２とを備えている。搬送ローラ１３は、アーム本体８３と、ローラ１４とを備えている。アーム本体８３は、板金などからなり、長手方向が機器本体３の幅方向Ｘに沿った帯状に形成されている。アーム本体８３則ち搬送ローラ１３は、機器本体３の固定シャーシ９に昇降自在に支持された後述の移動シャーシ１６に固定されたロードフレーム８４（図３などに示す）に取り付けられている。【００２６】
搬送ローラ１３は、該アーム本体８３の幅方向の前述した挿入口１０から離れた側の一方の端部８３ａを中心として回転自在に前記ロードフレーム８４に支持されている。アーム本体８３則ち搬送ローラ１３の回転中心は、機器本体３の幅方向Ｘと平行である。搬送ローラ１３のローラ１４の後述の突出ピン８７と移動シャーシ１６とには、付勢手段としてのコイルばね８５が掛け渡されている。コイルばね８５は、搬送ローラ１３のアーム本体８３の幅方向の前述した挿入口１０寄りの他方の端部８３ｂがガイド部材８２に近づく方向に付勢している。このように、アーム本体８３則ち搬送ローラ１３は、ガイド部材８２に近づく方向に付勢されている。【００２７】
ローラ１４は、搬送ローラ１３のアーム本体８３の幅方向の前述した挿入口１０寄りの他方の端部８３ｂに軸芯Ｐ周りに回転自在に支持されている。ローラ１４の軸芯Ｐは、機器本体３の幅方向Ｘと平行である。ローラ１４は、外周面に挿入口１０内を通されるＣＤ２が接触する。ローラ１４は、複数の歯車１５などを介して後述のモータ４１により、軸芯Ｐ周りに回転される。【００２８】
また、前述した搬送ローラ１３は、突出ピン８６，８７（図４０ないし図４２に示す）を備えている。突出ピン８６，８７は、アーム本体８３の幅方向Ｘの縁から該幅方向Ｘに沿って突出している。突出ピン８７は、ローラ１４の軸芯Ｐと同軸に設けられ、アーム本体８３の前述した他方の端部８３ｂから突出している。突出ピン８６は、アーム本体８３の前述した一方の端部８３ａと他方の端部８３ｂとの間に中央部８３ｃから突出している。【００２９】
ガイド部材８２は、長手方向が機器本体３の幅方向Ｘに沿った帯状に形成されている。ガイド部材８２は、前述した情報記録媒体としてのＣＤ２の周縁部と接触する突部８２ａを備え、摩擦係数の小さな合成樹脂などからなる。則ち、突部８２ａは、ＣＤ２に向かって凸に形成されており、ＣＤ２の搬送方向に直交（交差）する方向に直線状に延びている。突部８２ａは、ローラ１４を互いの間に位置付けるように２箇所離間して形成されている。則ち、突部８２ａのＣＤ２と接触する位置と、搬送ローラ１３のローラ１４の軸芯Ｐとは、ＣＤ２の搬送方向に沿って離間している。ガイド部材８２は、前述した搬送ローラ１３とロードフレーム８４との間に配され、ロードフレーム８４に取り付けられている。【００３０】
なお、前述した搬送ローラ１３とガイド部材８２は、それぞれ、ＣＤ２を互いの間に挟んで、該ＣＤ２を機器本体３に出し入れする挟持部材をなしている。これらの搬送ローラ１３とガイド部材８２は、コイルばね８５により互いに近づく方向に付勢されており、前述した出入位置以外で、互いに近接している。【００３１】
また、前述したディスク搬送部４は、前述したロードフレーム８４に取り付けられていることで、駆動源としての後述のモータ４１の駆動力により、ディスク再生部５と一体に（連動して）矢印Ｋ則ち複数のＣＤ２を積層配列する方向則ちＣＤ２の主面に直交（交差）する方向に沿って、移動する。そして、ディスク搬送部４は、前述したガイド部材８２と搬送ローラ１３との間が前述した挿入口１０と略同一平面上に位置する出入位置（図４１及び図４２などに示す）と、この出入位置より前述した天井板に近づいて前述した出入位置から退避した退避位置（図４０などに示す）とに亘って、矢印Ｋに沿って移動自在である。【００３２】
こうして、ディスク搬送部４は、ＣＤ２の主面に直交（交差）する方向に沿って、出入位置と退避位置とに亘る所定区間移動する。なお、出入位置は、本明細書に記した１の位置と所定区間の一方の終端付近をなしている。退避位置は、本明細書に記した他の位置と所定区間の他方の終端付近をなしている。【００３３】
前述した出入位置では、ディスク搬送部４の突出ピン８６，８７が押圧部材８０，８１に当接して、搬送ローラ１３がガイド部材８２から離される。出入位置では、ローラ１４とガイド部材８２とがＣＤ２の主面に直交（交差）する方向に互いに間隔をあける。そして、出入位置では、ローラ１４とガイド部材８２との間に挿入されたＣＤ２がローラ１４の外周面に接触して、ローラ１４とガイド部材８２との間にＣＤ２を挟んで、ローラ１４がモータ４１により回転駆動されることで、ディスク搬送部４は、挿入口１０内にＣＤ２を通して、ＣＤ２を機器本体３に出し入れする。このとき、搬送ローラ１３は、ＣＤ２を搬送し、ガイド部材８２がＣＤ２を搬送経路に維持する。突部８２ａがＣＤ２と接触する位置と、搬送ローラ１３がＣＤ２と接触する位置とが、ＣＤ２の搬送方向に沿って離間している。なお、搬送経路とは、ＣＤ２が挿入口１０からディスク収容部６に収容される位置に至る経路である。なお、ＣＤ２が、ディスク収容部６に収容される位置は、本明細書に記した収容位置をなしている。【００３４】
また、前述した出入位置から退避位置に向かって移動すると、ディスク搬送部４は、コイルばね８５の付勢力により、ローラ１４とガイド部材８２とが互いに近接することにより、ディスク搬送部４全体の厚みＤを抑制する。【００３５】
ディスク再生部５は、機器本体３内に収容されており、図４に示すように、支持手段としての移動シャーシ１６と、揺動シャーシ１７と、ＣＤ２から情報を読み出す再生手段としての図示しないピックアップ再生部と、を備えている。移動シャーシ１６は、板金などからなり、枠状に形成されている。移動シャーシ１６は、ディスク収容部６のホルダ１９の配列方向（互いに重なる方向）Ｋ（図３などに矢印で示す）に沿って移動自在に、固定シャーシ９の周板１２などに支持されている。移動シャーシ１６は、ディスク搬送部４と、図示しないピックアップ再生部とを共に支持する。【００３６】
揺動シャーシ１７は、板金などからなり、帯板状に形成されている。揺動シャーシ１７は、一端部を中心として回動自在に移動シャーシ１６に支持されている。揺動シャーシ１７は、一端部を中心として回動することで、ディスク収容部６に収容される複数のＣＤ２間に他端部が侵入する状態と、ディスク収容部６に収容される複数のＣＤ２間から他端部が抜け出る状態とに亘って変位自在になっている。【００３７】
ピックアップ再生部は、揺動シャーシ１７にダンパやばねなどにより防振支持されたＣＲＧシャーシ上に設けられている。ピックアップ再生部は、ターンテーブルと、ピックアップ部などを備えている。ターンテーブルは、回転テーブルと、スピンドルモータと、複数のクランプ爪とを備えている。回転テーブルは、ＣＲＧシャーシの他端部に回転自在に支持されている。回転テーブルは、円板状に形成されており、表面上にＣＤ２が置かれる。【００３８】
スピンドルモータは、ＣＲＧシャーシの他端部と回転テーブルとの間に設けられている。スピンドルモータは、回転テーブルを回転する。クランプ爪は、回転テーブルの表面から突没自在に設けられている。クランプ爪は、回転テーブルの表面から突出すると、回転テーブル上のＣＤ２の中央孔内に突出して、回転テーブルとの間にＣＤ２を挟む。クランプ爪は、回転テーブルとの間に挟むことで、ＣＤ２をクランプする。【００３９】
ピックアップ部は、図４中に二点鎖線で示す光ピックアップ６６と、ピックアップ移動部とを備えている。光ピックアップ６６は、ターンテーブルに接離する方向に移動自在にＣＲＧシャーシに支持されている。光ピックアップ６６は、ターンテーブルに支持されたＣＤ２から情報を読み出す。即ち、光ピックアップ６６は、ホルダ１９に保持されていたＣＤ２を再生する。再生時、ＣＤ２は、ホルダ１９から厚み方向Ｚに退避する。ピックアップ移動部は、光ピックアップ６６をターンテーブルに接離させる。なお、接離とは、互いに近づいたり離れたりすることである。【００４０】
ディスク再生部５は、揺動シャーシ１７の他端部がＣＤ２間に侵入して、ターンテーブルのクランプ爪がＣＤ２をクランプするとともに、ターンテーブルの回転テーブルがＣＤ２を回転する。ディスク再生部５は、ピックアップ部の光ピックアップ６６が、ターンテーブルにより回転されたＣＤ２から情報を読み出す。また、ディスク再生部５は、後述するように矢印Ｋに沿って移動する。こうして、ディスク再生部５は、矢印Ｋに沿って移動するとともに、ホルダ１９に保持されたＣＤ２をクランプして再生する。【００４１】
移動機構６０は、図４などに示すように、第１のスライドシャーシ６１と、第２のスライドシャーシ６２と、揺動アーム６３と、保持シャーシ９２（図３９に示す）とを備えている。第１のスライドシャーシ６１は、板金からなり、水平部６４と、鉛直片６５とを一体に備えている。水平部６４は、平板状に形成され、かつ固定シャーシ９の板状の底板１１上に重ねられている。【００４２】
水平部６４は、他端部が複数のＣＤ２間から抜け出た状態の揺動シャーシ１７の長手方向に沿ってスライド自在に前記底板１１に支持されている。水平部６４は、分離機構７の後述するモータ２０の駆動力により、他端部が複数のＣＤ２間から抜け出た状態の揺動シャーシ１７の長手方向に沿って移動する。鉛直片６５は、水平部６４の縁から上方即ち第２のスライドシャーシ６２に向かって延びている。【００４３】
第２のスライドシャーシ６２は、平板状に形成されている。第２のスライドシャーシ６２は、移動シャーシ１６と底板１１との間に配されているとともに、移動シャーシ１６に重ねられている。第２のスライドシャーシ６２は、他端部が複数のＣＤ２間から抜け出た状態の揺動シャーシ１７の長手方向に沿ってスライド自在に移動シャーシ１６に支持されている。【００４４】
また、第２のスライドシャーシ６２には、前述した鉛直片６５が係止している。このため、第２のスライドシャーシ６２は、鉛直片６５とともに、モータ２０の駆動力により、他端部が複数のＣＤ２間から抜け出た状態の揺動シャーシ１７の長手方向に沿って移動する。【００４５】
揺動アーム６３は、板金からなり、平板状に形成されている。揺動アーム６３の平面形状は、図４に示すように、略く字状に形成されている。揺動アーム６３は、前述した移動シャーシ１６に中央部を中心として回転自在に支持されている。揺動アーム６３は、一端部が前述した第２のスライドシャーシ６２に連結している。揺動アーム６３は、他端部が揺動シャーシ１７に回転自在に連結している。揺動アーム６３は、第２のスライドシャーシ６２が前述した長手方向に沿ってスライドすると、中央部を中心として回転して、揺動シャーシ１７の一端部を中心として、該揺動シャーシ１７を揺動させる。【００４６】
保持シャーシ９２は、板金からなり、平板状に形成されている。保持シャーシ９２は、第２のスライドシャーシ６２に重ねられており、移動シャーシ１６に取り付けられている。【００４７】
移動機構６０は、モータ２０の駆動力により、第１のスライドシャーシ６１と第２のスライドシャーシ６２を移動させるとともに、揺動アーム６３を回転して、一端部を中心として揺動シャーシ１７を揺動させる。移動機構６０は、一端部を中心として揺動シャーシ１７を揺動することで、ホルダ１９に保持されたＣＤ２の情報記録面と対向する位置に光ピックアップ６６則ちディスク再生部５を移動する。【００４８】
ディスク収容部６は、機器本体３内に収容されており、図４に示すように、第１壁としての移動シャーシ１８と、保持部材としての複数のホルダ１９を備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した矢印Ｋに沿って移動自在に固定シャーシ９の周板１２などに支持されている。【００４９】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、移動シャーシ１８に支持されている。ホルダ１９は、そのＣ字状に形成された開口部が挿入口１０と相対する状態に配されている。【００５０】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の主面が互いに平行になるように、互いに重ねられて配されている。ホルダ１９は、前記矢印Ｋに沿って移動自在に移動シャーシ１８などに支持されている。各々のホルダ１９には、外方向に向かって突出した突起２９（図１６ないし図２２に示す）が設けられている。ディスク収容部６は、ＣＤ２を保持可能な複数のホルダ１９を積層配列して収容する。【００５１】
分離機構７は、機器本体３内に収容されており、モータ２０（図４に示す）と、離間溝拡縮機構２１（図７ないし図１１に示す）と、連動移動機構２２（図３１ないし図３８に示す）とを備えている。モータ２０は、図４に示すように、固定シャーシ９に固定されている。【００５２】
離間溝拡縮機構２１は、図６に示すように、３つ設けられており、機器本体３の隅部に設けられている。離間溝拡縮機構２１は、図７ないし図１５に示すように、円柱状に形成されており、回転部材２５と、移動部材２６と、カム部材２４とを備えている。【００５３】
回転部材２５は、図１３ないし図１５に示すように、互いに同軸に配された円板部６８と、円柱部６９とを一体に備えている。円板部６８は、円板状に形成され、固定シャーシ９の底板１１に軸芯周りに回転自在に支持されている。円柱部６９は、円柱状に形成されており、円板部６８から立設している。【００５４】
回転部材２５の軸芯は、前述した矢印Ｋと平行に配されている。回転部材２５は、円板部６８の外縁部に設けられた歯が底板１１に回転自在に設けられた複数の歯車６７に噛み合っている。回転部材２５は、歯車６７を介してモータ２０のピニオンと接続されたカム６７ｂ上のカム６７ａにより、モータ２０の駆動力により軸芯周りに回転される。回転部材２５がモータ２０の駆動力により軸芯周りに回転されることは、本明細書に記した回転部材２５がモータ２０の駆動力により移動されることを示している。回転部材２５は、移動部材２６とカム部材２４の各々を同軸的に配するとともに、移動部材２６とカム部材２４の各々を回転させる。【００５５】
移動部材２６は、図１２ないし図１５に示すように、円管状に形成されており、回転部材２５の外周に取り付けられてこの回転部材２５と同軸に配されている。移動部材２６と回転部材２５とは、回転部材２５に設けられた突起７０と、移動部材２６に設けられたキー溝とからなるキーにより互いに取り付けられている。【００５６】
移動部材２６は、前述した矢印Ｋに沿って移動自在に回転部材２５に取り付けられている。移動部材２６は、カム部材２４とは独立して、矢印Ｋに沿って、移動可能である。さらに、移動部材２６の底板１１から離れた側の縁（上端）には、係止溝７１が設けられている。また、移動部材２６は、前述した回転部材２５と一体に（連動して）前述した軸芯周りに回転する。【００５７】
また、移動部材２６は、図７、図１６ないし図３０に示すように、第１壁としての移動シャーシ１８に取り付けられているとともに、第２壁２７ｂが設けられている。移動シャーシ１８と第２壁２７ｂは、移動部材２６の軸芯方向の両縁に設けられており、矢印Ｋと平行な軸芯に沿って互いに常に一定の間隔をあけて配されている。移動シャーシ１８と第２壁２７ｂは、移動部材２６の両縁から外周方向に突出している。【００５８】
移動部材２６は、固定シャーシ９の底板１１から離れた側の縁に設けられた係止溝７１により移動シャーシ１８に取り付けられている。このことを、本発明では、第１壁としての移動シャーシ１８は、移動部材２６の上端に設けられているという。このため、移動部材２６は、移動シャーシ１８と一体に（連動して）矢印Ｋに沿って移動する。また、移動シャーシ１８は、移動部材２６などが軸芯周りに回転することを許容する（妨げない）。移動シャーシ１８は、前述した矢印Ｋに対し直交する方向に沿った平板状に形成されている。【００５９】
第２壁２７ａ，２７ｂは、回転部材２５と移動部材２６とに亘って設けられている。回転部材２５では、第２壁２７ａは、図１２ないし図１５に示すように、円板部６８の外縁から立設しており、断面形状が回転部材２５の軸芯を中心とした円弧状に形成されている。このため、第２壁２７ａは、円板部６８の外周に配されている。【００６０】
移動部材２６では、第２壁２７ｂは、図１２ないし図１５に示すように、固定シャーシ９の底板１１寄りの縁（即ち、移動部材２６の下端）に設けられている。第２壁２７ｂは、移動部材２６の外周に配され、移動部材２６と同軸に配されている。第２壁２７ａ，２７ｂは、回転部材２５と移動部材２６とに亘って、面一に形成されている。第２壁２７ａ，２７ｂは、移動部材２６から回転部材２５に向かうにしたがって、移動シャーシ１８から徐々に離れる方向に、前述した矢印Ｋとこの矢印Ｋに対し直交する方向との双方に交差した方向に延びている。【００６１】
また、前述した移動シャーシ１８と第２壁２７ａ，２７ｂとの間において、矢印Ｋに沿って互いの間にカム部材２４の後述のくさび部３０が位置付けられていない部分では、前述した移動シャーシ１８と第２壁２７ａ，２７ｂとの間隔は、ホルダ１９の数と突起２９の矢印Ｋ方向の溝幅との積に等しい又は略等しい。【００６２】
回転部材２５と移動部材２６は、前述した移動シャーシ１８と第２壁２７ａ，２７ｂとの間に、突起２９を位置付けて、前述したホルダ１９を保持する。また、回転部材２５と移動部材２６は、軸芯周りに回転することで、前述した移動シャーシ１８と第２壁２７ａ，２７ｂとの間で突起２９が後述の連結壁２８から接離するように矢印Ｋに対し交差する方向に沿って移動することを許容する。【００６３】
このため、カム部材２４と回転部材２５と移動部材２６は、モータ２０の駆動力により、後述の離間溝３９，４０の奥に向かって突起２９が侵入する方向に移動される。さらに、カム部材２４と回転部材２５と移動部材２６は、後述のホルダ収容位置で、すべてのホルダ１９の突起２９を、移動シャーシ１８と第２壁２７ａ，２７ｂとの間に位置付ける。【００６４】
カム部材２４は、図１２ないし図１５に示すように、円管状に形成されており、移動部材２６の外周に取り付けられて、回転部材２５及び移動部材２６等と同軸に配されている。カム部材２４と移動部材２６とは、カム部材２４に設けられた突起７２と、移動部材２６に設けられた突起とからなるキーにより互いに取り付けられている。カム部材２４は、前述した矢印Ｋに沿って移動自在に移動部材２６に取り付けられている。また、カム部材２４は、前述した回転部材２５及び移動部材２６と一体（連動して）に前述した軸芯周りに回転する。【００６５】
さらに、カム部材２４の底板１１から離れた側の縁に係止溝７３が設けられている。カム部材２４の係止溝７３には、ディスク再生部５の移動シャーシ１６が係止して、取り付けられている。このため、カム部材２４は、移動シャーシ１６即ち前述した光ピックアップ６６と一体に（連動して）矢印Ｋに沿って移動する。このため、カム部材２４は、矢印Ｋに沿って、移動可能である。また、移動シャーシ１６は、カム部材２４などが軸芯周りに回転することを許容する（妨げない）。【００６６】
さらに、カム部材２４は、くさび部３０と、案内溝３１と、連結壁２８とを備えている。くさび部３０は、前述した移動シャーシ１８と、第２壁２７との間に位置しているとともに、連結壁２８と間隔をあけて配されている。このため、カム部材２４のくさび部３０は、前述した移動シャーシ１８と第２壁２７との間を矢印Ｋに沿って移動する。くさび部３０は、移動部材２６に向かうにしたがって、矢印Ｋに沿う溝幅が徐々に細くなるように形成されている。【００６７】
案内溝３１は、くさび部３０に設けられている。案内溝３１は、カム部材２４のくさび部３０の外周面に形成されている。即ち、案内溝３１は、カム部材２４のくさび部３０の外周面から凹に形成されている。案内溝３１の矢印Ｋに沿う溝幅は、一つの突起２９の矢印Ｋに沿う幅と略等しい。【００６８】
案内溝３１は、図１６ないし図３０に示すように、連結壁２８に相対する開口部３２と、ローディング部３３と、ピックアップ侵入部３４と、第１連結部３５と、クランプ部３６と、第２連結部３７と、再生部３８とを備えている。ローディング部３３と、ピックアップ侵入部３４と、クランプ部３６と、再生部３８とは、矢印Ｋに対し直交する方向に沿って延びている。第１連結部３５と、第２連結部３７とは、矢印Ｋとこの矢印Ｋに対し直交する方向との双方に対し交差する方向に沿って延びている。【００６９】
ローディング部３３は、開口部３２に連なり、この開口部３２の連結壁２８から離れた側に配されている。ピックアップ侵入部３４は、ローディング部３３に連なり、このローディング部３３の連結壁２８から離れた側に配されている。さらに、ピックアップ侵入部３４は、ローディング部３３より回転部材２５の第２壁２７ａから離れた側に配されている。【００７０】
第１連結部３５は、ピックアップ侵入部３４に連なり、このピックアップ侵入部３４の連結壁２８から離れた側に配されている。第１連結部３５は、ピックアップ侵入部３４から離れるのにしたがって徐々に回転部材２５の第２壁２７ａに近づく方向に延びている。クランプ部３６は、第１連結部３５に連なり、この第１連結部３５の連結壁２８から離れた側に配されている。【００７１】
第２連結部３７は、クランプ部３６に連なり、このクランプ部３６の連結壁２８から離れた側に配されている。第２連結部３７は、クランプ部３６から離れるのにしたがって徐々に回転部材２５の第２壁２７ａに近づく方向に延びている。再生部３８は、第２連結部３７に連なり、この第２連結部３７の連結壁２８から離れた側に配されている。【００７２】
案内溝３１は、開口部３２を通して、突起２９が侵入することを許容する。即ち、案内溝３１内には、突起２９即ちホルダ１９が摺動可能である。さらに、案内溝３１は、ローディング部３３と、ピックアップ侵入部３４と、第１連結部３５と、クランプ部３６と、第２連結部３７と、再生部３８内に順に突起２９が移動することを許容する。【００７３】
ローディング部３３内に位置付けられた突起２９を設けたホルダ１９は、挿入口１０と矢印Ｙに沿って相対する。そして、ローディング部３３内に位置付けられた突起２９を設けたホルダ１９は、挿入口１０を通して挿入されたＣＤ２を保持できるとともに、挿入口１０を通して保持したＣＤ２を機器本体３外に排出できる。【００７４】
ピックアップ侵入部３４内に位置付けられた突起２９を設けたホルダ１９は、図３中下方に位置する他のホルダ１９から離れて、この図中下方に位置するホルダ１９との間に揺動シャーシ１７の他端部即ちピックアップ再生部が侵入することを許容する。クランプ部３６内に位置付けられた突起２９を設けたホルダ１９は、保持したＣＤ２をディスク再生部５のターンテーブルがクランプすることを許容する。再生部３８内に位置付けられた突起２９を設けたホルダ１９は、ターンテーブルにクランプされたＣＤ２から離されて、ターンテーブルにより回転されるＣＤ２に干渉（接触）しない。即ち、ＣＤ２が回転することを許容する。【００７５】
連結壁２８は、前述した矢印Ｋに沿って直線状に延びている。連結壁２８は、くさび部３０に設けられた案内溝３１の開口部３２と矢印Ｋに対し直交する方向に沿って、間隔をあけて相対している。連結壁２８は、移動シャーシ１８と第２壁２７とを互いに連結する格好になっている。【００７６】
こうして、カム部材２４は、一つのＣＤ２を保持するホルダ１９の突起２９が摺動可能に係合する案内溝３１を有している。【００７７】
前述した構成の回転部材２５と、移動部材２６と、カム部材２４とは、図１２に示すように、互いに同軸に配されている。また、移動部材２６と、カム部材２４とは、図１２ないし図１４に示すように、互いに独立して、矢印Ｋに沿って移動可能である。【００７８】
また、前述した移動シャーシ１８とカム部材２４のくさび部３０との間は、本明細書に記した第１離間溝３９をなしている。第１離間溝３９は、移動シャーシ１８と、カム部材２４のくさび部３０の底板１１から離れた側の上面部とで構成されている。第１離間溝３９は、案内溝３１に係合する一つのＣＤ２を保持するホルダ１９より上方（矢印Ｋ１側）に位置する他のホルダ１９と係合する。【００７９】
さらに、前述した第２壁２７とカム部材２４のくさび部３０との間は、本明細書に記した第２離間溝４０をなしている。第２離間溝４０は、第２壁２７とカム部材２４のくさび部３０の底板１１寄りの下面部とで構成されている。第２離間溝４０は、案内溝３１に係合する一つのＣＤ２を保持するホルダ１９より下方（矢印Ｋ２側）に位置する他のホルダ１９と係合する。【００８０】
第１離間溝３９と第２離間溝４０は、案内溝３１に係合する一つのＣＤ２を保持するホルダ１９の他のホルダ１９の突起２９が侵入することを許容する（他のホルダ１９が係合する）。第１離間溝３９と第２離間溝４０は、本明細書に記した離間溝をなしている。第１離間溝３９と第２離間溝４０即ち離間溝は、一つのＣＤ２を保持するホルダ１９の他のホルダ１９が摺動可能に係合するとともに、カム部材２４と移動部材２６との相対的な移動により形成される。【００８１】
第１離間溝３９と第２離間溝４０とは、カム部材２４と移動部材との相対的に矢印Ｋに沿って移動することで、互いに連動して矢印Ｋに沿った溝幅が可変する（拡がったり狭くなる）。カム部材２４が矢印Ｋに沿ってスライドした際に、第１離間溝３９の溝幅が拡がると第２離間溝４０の溝幅が狭くなり、第２離間溝４０の溝幅が拡がると第１離間溝３９の溝幅が狭くなる。【００８２】
また、第１離間溝３９の溝幅と第２離間溝４０の溝幅との和は、ホルダ１９の数から１を引いて得られる数と一つの突起２９の矢印Ｋ方向の幅との積に等しい又は略等しい。前述した第１及び第２離間溝３９，４０即ち離間溝は、カム部材２４と移動部材２６との相対的な移動により矢印Ｋに沿った溝幅が可変する。即ち、第１及び第２離間溝３９，４０は、カム部材２４と移動部材２６との相対的な移動により矢印Ｋに沿った溝幅が相対的に可変する。【００８３】
前述した構成によれば、移動シャーシ１８と第２壁２７との間に位置付けられたすべてのホルダ１９の突起２９は、モータ２０の駆動力が複数の歯車６７を介して伝達されて、回転部材２５と移動部材２６とカム部材２４とが一体に（連動して）回転（移動）することで、一つの突起２９が案内溝３１内に侵入する。【００８４】
残りの突起２９のうち案内溝３１に侵入した突起２９より矢印Ｋ１（図７などに示す）側に位置するホルダ１９の突起２９が第１離間溝３９内に侵入し、案内溝３１に侵入した突起２９より矢印Ｋ２（図７などに示す）側に位置するホルダ１９の突起２９が第２離間溝４０内に侵入する。なお、矢印Ｋ１は、前述した矢印Ｋの一方側をなしているとともに、矢印Ｋ２は、前述した矢印Ｋの他方側をなしている。【００８５】
すべてのホルダ１９の突起２９が、案内溝３１に侵入することなく連結壁２８に近づいて移動シャーシ１８と第２壁２７との間に位置する状態は、本明細書では、ホルダ１９がホルダ収容位置に位置するという。また、カム部材２４のくさび部３０が連結壁２８と間隔をあけているため、ホルダ収容位置では、第１離間溝３９と第２離間溝４０とは、一体になっている。したがって、ホルダ収容位置では、複数のホルダ１９が互いに近接する。【００８６】
突起２９が、案内溝３１の再生部３８内と、第１及び第２離間溝３９，４０の奥に侵入する状態は、本明細書では、ホルダ１９が再生位置に位置するという。再生位置では、カム部材２４のくさび部３０により、前記案内溝３１内に突起２９が侵入したホルダ１９は、ホルダ収容位置より他のホルダ１９から離れる。再生位置では、情報を再生するＣＤ２を保持したホルダ１９が他のホルダ１９から離れるとともに、情報を再生するＣＤ２を保持したホルダ１９と他のホルダ１９との間に光ピックアップ６６が侵入可能になる。【００８７】
突起２９が、移動部材２６の第２壁２７ｂと移動シャーシ１８との間に位置し、案内溝３１のローディング部３３内と、第１及び第２離間溝３９，４０に侵入した状態は、本明細書では、ホルダ１９がローディング位置に位置するという。【００８８】
また、前述した再生位置では、第１離間溝３９内に情報を再生するＣＤ２を保持したホルダ１９の矢印Ｋ１側のホルダ１９の突起２９が侵入する。第１離間溝３９は、前記矢印Ｋ１側のホルダ１９を、情報を再生するＣＤ２を保持したホルダ１９から離す。【００８９】
さらに、再生位置とローディング位置では、第２離間溝４０内に情報を再生するＣＤ２を保持したホルダ１９の矢印Ｋ２側のホルダ１９の突起２９が侵入する。第２離間溝４０は、前記矢印Ｋ２側のホルダ１９を、情報を再生するＣＤ２を保持したホルダ１９から離す。【００９０】
連動移動機構２２は、図３１などに示すように、駆動源としてのモータ４１（図４に示す）と、駆動シャーシ４２（図４及び図５に示す）と、第２駆動シャーシ５３（図４及び図５に示す）と、第１突起４３と、第１孔４４と、第２突起４５と、第２孔４６とを備えている。なお、図４には、駆動シャーシ４２と第２駆動シャーシ５３を２つずつ示しているが、実際には、駆動シャーシ４２と第２駆動シャーシ５３は一つずつ設けられている。【００９１】
連動移動機構２２は、ディスク収容部６のホルダ１９をホルダ収容位置と再生位置とに亘って移動させる際には、移動部材２６を、回転部材２５に対し矢印Ｋに沿って移動して、回転部材２５から最も遠ざけておく。そして、連動移動機構２２は、再生位置に位置付けるＣＤ２を保持したホルダ１９の突起２９が案内溝３１に侵入できる位置に、カム部材２４を位置付ける。【００９２】
連動移動機構２２は、ディスク収容部６のホルダ１９を再生位置とローディング位置とに亘って移動させる即ちＣＤ２を機器本体３内に出し入れする際には、カム部材２４を、移動部材２６に対し矢印Ｋに沿って移動して、回転部材２５に最も近づけておく。そして、連動移動機構２２は、ローディング位置に位置付けられた即ち出し入れされたＣＤ２を保持するホルダ１９の突起２９が案内溝３１に侵入できる位置に、移動部材２６を位置付ける。連動移動機構２２は、駆動源としてのモータ４１の駆動力により、前述したように、カム部材２４即ちディスク再生部５の移動シャーシ１６と、移動部材２６即ちディスク収容部６の移動シャーシ１８とを連動して、矢印Ｋに沿って移動する。【００９３】
モータ４１は、固定シャーシ９の底板１１などに取り付けられている。駆動シャーシ４２は、板金からなり、板状に形成されている。駆動シャーシ４２の平面形状は、矩形状に形成されている。駆動シャーシ４２は、機器本体３の固定シャーシ９の周板１２に、矢印Ｋに対し直交（交差）する方向に沿って移動自在に支持されている。【００９４】
第２駆動シャーシ５３は、板金からなり、板状に形成されている。第２駆動シャーシ５３の平面形状は、矩形状に形成されている。第２駆動シャーシ５３は、機器本体３の固定シャーシ９の周板１２に、矢印Ｋに対し直交（交差）する方向に沿って移動自在に支持されている。第２駆動シャーシ５３には、モータ４１の駆動力により回転される歯車４８と噛み合ったラック４７が形成されている。【００９５】
第１突起４３は、ディスク収容部６の移動シャーシ１８から駆動シャーシ４２と第２駆動シャーシ５３に向かって突出している。第１孔４４は、駆動シャーシ４２と第２駆動シャーシ５３に設けられている。勿論、第１孔４４は、駆動シャーシ４２と第２駆動シャーシ５３を貫通している。第１孔４４には、図５に示すように、第１突起４３が侵入する。【００９６】
第１孔４４は、図３１ないし図３８に示すように、第１平行部４９と第１傾斜部５０とを備えている。第１平行部４９は、前述した矢印Ｋに対し直交する方向に沿って直線状に延びている。第１傾斜部５０は、第１平行部４９の端に連なりかつ前述した矢印Ｋと該矢印Ｋに対し直交する方向との双方に対し交差する方向に沿って直線状に延びている。第１傾斜部５０は、第１平行部４９から離れるにしたがって徐々に固定シャーシ９の底板１１に近づく方向に傾斜している。【００９７】
第２突起４５は、ディスク再生部５の移動シャーシ１６から駆動シャーシ４２に向かって突出している。第２孔４６は、駆動シャーシ４２に設けられている。勿論、第２孔４６は、駆動シャーシ４２を貫通している。第２孔４６には、第２突起４５が侵入する。【００９８】
第２孔４６は、第２傾斜部５１と第２平行部５２とを備えている。第２傾斜部５１は、前述した矢印Ｋと該矢印Ｋに対し直交する方向との双方に対し交差する方向に沿って直線状に延びている。第２傾斜部５１は、第２平行部５２から離れるにしたがって、徐々に固定シャーシ９の底板１１から離れる方向に傾斜している。第２傾斜部５１は、第１傾斜部５０と平行である。第２平行部５２は、第２傾斜部５１の端に連なりかつ前述した矢印Ｋに対し直交する方向に沿って直線状に延びている。【００９９】
第１突起４３が第１傾斜部５０内に位置付けられると、第２突起４５が第２平行部５２内に位置付けられる。第１突起４３が第１平行部４９内に位置付けられると、第２突起４５が第２傾斜部５１内に位置付けられる。【０１００】
前述した連動移動機構２２は、駆動源としてのモータ４１の駆動力により、第２駆動シャーシ５３を矢印Ｋに対し直交する方向に沿って移動する。第２駆動シャーシ５３の動きに連動して、図４に示すリンクアーム１１１により第２駆動シャーシ５３と連結された駆動シャーシ４２は矢印Ｋに対し直交する方向に沿って移動する。【０１０１】
このため、連動移動機構２２即ち分離機構７は、カム部材２４と移動部材２６との各々を矢印Ｋに沿って駆動（移動）する単一の駆動源としてのモータ４１を備えている。【０１０２】
連動移動機構２２は、駆動源としてのモータ４１の駆動力により、ホルダ１９をローディング位置に位置付ける際即ちＣＤ２を機器本体３内に出し入れする際には、第２突起４５が第２平行部５２内を移動し、第１突起４３が第１傾斜部５０内を移動する位置に駆動シャーシ４２を位置付ける。前述した連動移動機構２２は、駆動源としてのモータ４１の駆動力により、ホルダ１９を再生位置とホルダ収容位置とに亘って移動する際には、第２突起４５が第２傾斜部５１内を移動し、第１突起４３が第１平行部４９内を移動する位置に駆動シャーシ４２を位置付ける。【０１０３】
なお、連動移動機構２２により、第２突起４５が第２平行部５２内に位置付けられると、カム部材２４が最も回転部材２５の第２壁２７に近づく。最も回転部材２５の第２壁２７ａに近づいたカム部材２４の案内溝３１のローディング部３３内に突起２９が位置付けられたホルダ１９は、前述した挿入口１０を通して出し入れされるＣＤ２を保持できる位置に位置付けられる。【０１０４】
前述した構成のＣＤチェンジャ１は、機器本体３内に収容した複数のＣＤ２のうち前述した操作部などにより任意に選択された一つのＣＤ２の情報を読み出す際には、図１６に示すように、モータ２０の駆動力によりすべてのホルダ１９の突起２９を第２壁２７ｂの水平部Ａ上に位置付けておく。【０１０５】
また、モータ４１の駆動力によりディスク搬送部４を出入位置より天井板に向かって移動して再生位置に位置付ける。すると、図４５及び図４７に示すように、押圧部材８０，８１が突出ピン８６，８７に接触しない。そして、コイルばね８５の付勢力により、図４３に示すように、ローラ１４がガイド部材８２と近接する。さらに、ディスク再生部５の揺動シャーシ１７の他端部即ちターンテーブルとピックアップ再生部を、複数のＣＤ２間から退避させておく。【０１０６】
また、駆動源としてのモータ４１の駆動力により、図３１に示すように、第１突起４３が第１孔４４の第１平行部４９内に位置する位置に駆動シャーシ４２を位置付ける。そして、図１６に示すように、移動シャーシ１８を回転部材２５の第２壁２７ａから最も遠ざけておく。【０１０７】
そして、駆動源としてのモータ４１の駆動力により、図３２に示すように、第２突起４５が第２孔４６の第２傾斜部５１内を移動して、情報が読み出される任意に選択された一つのＣＤ２を保持したホルダ１９の突起２９が案内溝３１に矢印Ｋに対し直交する方向に沿って相対する位置に、駆動シャーシ４２を位置付ける。そして、図８及び図１７に示すように、カム部材２４の案内溝３１の開口部３２を、矢印Ｋに対し直交する方向に沿って、情報が読み出される任意に選択された一つのＣＤ２を保持したホルダ１９の突起２９と相対させる。なお、図８及び図１７では、図中上から四つ目のホルダ１９の突起２９とカム部材２４に設けられた案内溝３１とを相対させている。【０１０８】
そして、モータ２０の駆動力により、回転部材２５と移動部材２６及びカム部材２４を一体に回転させる。そして、すべてのホルダ１９の突起２９が、連結壁２８から徐々に離れる。すると、図１８に示すように、情報が読み出される任意に選択された一つのＣＤ２を保持したホルダ１９の突起２９が、案内溝３１の開口部３２に侵入する。さらに、他のＣＤ２を保持したホルダ１９の突起２９が、カム部材２４のくさび部３０に接触するとともに、くさび部３０などにより、第１及び第２離間溝３９，４０内を移動する。【０１０９】
さらに、モータ２０の駆動力により、回転部材２５と移動部材２６及びカム部材２４を一体に回転させると、図１９に示すように、情報が読み出される任意に選択された一つのＣＤ２を保持したホルダ１９の突起２９がローディング部３３内に位置する。また、前述した一つのＣＤ２と、この一つのＣＤ２より矢印Ｋ１側の他のＣＤ２と、この一つのＣＤ２より矢印Ｋ２側の他のＣＤ２とが徐々に離れる。【０１１０】
その後、図２０に示すように、前述した一つのＣＤ２を保持したホルダ１９の突起２９が案内溝３１のピックアップ侵入部３４内に位置する。このとき、揺動シャーシ１７が、一端部を中心として回転して、他端部即ちターンテーブルとピックアップ再生部が前述した一つのＣＤ２と他のＣＤ２との間に侵入する。【０１１１】
そして、前述した一つのＣＤ２を保持したホルダ１９の突起２９が、第１連結部３５内を通り、図２１に示すように、クランプ部３６内に位置する。このとき、ディスク再生部５のターンテーブルが前述した一つのＣＤ２をクランプする。そして、前述した一つのＣＤ２を保持したホルダ１９の突起２９が、第２連結部３７内を通り、図９及び図２２に示すように、再生部３８内に位置する。【０１１２】
さらに、前述した一つのＣＤ２の矢印Ｋ１側に位置するＣＤ２を保持したホルダ１９の突起２９が、カム部材２４のくさび部３０により第１離間溝３９の奥即ち連結壁２８から離れた側に移動する。さらに、前述した一つのＣＤ２の矢印Ｋ２側に位置するＣＤ２を保持したホルダ１９の突起２９が、カム部材２４のくさび部３０により第２離間溝４０の奥即ち連結壁２８から離れた側に移動する。【０１１３】
そして、図９及び図２２に示すように、カム部材２４のくさび部３０に設けられた案内溝３１により、前述した一つのＣＤ２を保持したホルダ１９が位置決めされる。さらに、カム部材２４のくさび部３０と、移動シャーシ１８及び第２壁２７とにより即ち第１及び第２離間溝３９，４０により、前述した一つのＣＤ２を保持したホルダ１９を他のホルダ１９から離す。さらに、他のホルダ１９を、第１及び第２離間溝３９，４０により、位置決めする。【０１１４】
さらに、前述した一つのＣＤ２を保持したホルダ１９の突起２９が再生部３８内に位置すると、該ホルダ１９が、ディスク再生部５のターンテーブルによりクランプされたＣＤ２から遠ざけられる。そして、ホルダ１９にＣＤ２の回転が妨げられることが防止される。ターンテーブルがクランプしたＣＤ２を回転するとともに、ピックアップ再生部の光ピックアップ６６がＣＤ２の所望の位置から情報を読み出す。前述した一つのＣＤ２からの情報の読み出しを停止する際には、モータ２０の駆動力により、回転部材２５と移動部材２６及びカム部材２４を先ほどと逆向きに回転する。【０１１５】
前述したように、分離機構７は、カム部材２４を矢印Ｋに沿って移動して、第１離間溝３９の溝幅と第２離間溝４０の溝幅とを連動して拡縮することで、所望のＣＤ２を保持したホルダ１９を位置決めするとともに他のホルダ１９から離す。このように、分離機構７は、一つのＣＤ２を保持したホルダ１９と他のホルダ１９とを、矢印Ｋに沿って、離間する。【０１１６】
例えば、図２３に示すように、図中下から二番目のＣＤ２を保持したホルダ１９を再生位置に位置付ける際や、図２４に示すように、図中上から二番目のＣＤ２を保持したホルダ１９を再生位置に位置付ける際も同様である。なお、図２３及び図２４に示す状態では、図３３及び図３４に示すように、第１突起４３が第１平行部４９内に位置するとともに、第２突起４５が第２傾斜部５１内に位置する。【０１１７】
また、前述した構成のＣＤチェンジャ１は、操作部などの命令により、機器本体３内に収容した複数のＣＤ２のうち任意に選択された一つのＣＤ２を機器本体３外に排出したり、ＣＤ２を機器本体３内に挿入して任意に選択された一つのホルダ１９に保持させる際には、図７、図１０及び図２５に示すように、モータ２０の駆動力によりすべてのホルダ１９の突起２９を第２壁２７ｂの水平部Ａ上に位置付けておく。さらに、ディスク再生部５の揺動シャーシ１７の他端部即ちターンテーブルとピックアップ再生部を、複数のＣＤ２間から退避させておく。【０１１８】
そして、図３５に示すように、駆動源としてのモータ４１の駆動力により第２突起４５が第２孔４６の第２平行部５２内に位置する位置に駆動シャーシ４２を位置付ける。そして、モータ４１の駆動力により、前述したディスク搬送部４を出入位置に位置付ける。すると、図４８に示すように、一方の押圧部材８０が突出ピン８６則ち搬送ローラ１３と当接して、ローラ１４がガイド部材８２から離れる方向に突出ピン８６則ち搬送ローラ１３を押圧する。【０１１９】
また、図４６に示すように、他方の押圧部材８１が突出ピン８７則ち搬送ローラ１３と当接して、ローラ１４がガイド部材８２から離れる方向に突出ピン８７則ち搬送ローラ１３を押圧する。そして、図４４に示すように、搬送ローラ１３のローラ１４がガイド部材８２から離れる。そして、図７、図１０及び図２５に示すように、カム部材２４を回転部材２５の第２壁２７ａに最も近づけておく。【０１２０】
そして、駆動源としてのモータ４１の駆動力により、図３６に示すように、第１突起４３が第１孔４４の第１傾斜部５０内を移動して、機器本体３内に挿入されたＣＤ２を保持する又は保持したＣＤ２を機器本体３外に排出する一つのホルダ１９の突起２９が案内溝３１の開口部３２に矢印Ｋに対し直交する方向に沿って相対する位置に、駆動シャーシ４２を位置付ける。【０１２１】
そして、図７、図１０及び図２６に示すように、カム部材２４の案内溝３１を、矢印Ｋに対し直交する方向に沿って、前述した一つのホルダ１９の突起２９と相対させる。なお、図７、図１０及び図２６では、図中上から四つ目のホルダ１９の突起２９とカム部材２４に設けられた案内溝３１とを相対させている。【０１２２】
そして、モータ２０の駆動力により、回転部材２５と移動部材２６及びカム部材２４を一体に回転させる。そして、すべてのホルダ１９の突起２９が、連結壁２８から徐々に離れる。すると、図２７に示すように、前述した一つのホルダ１９の突起２９が、案内溝３１の開口部３２に侵入する。さらに、前述した他のホルダ１９の突起２９が、カム部材２４のくさび部３０に接触するとともに、くさび部３０などにより、第１及び第２離間溝３９，４０内を移動する。すると、前述した一つのホルダ１９と、他のホルダ１９とが、徐々に互いに離れる。【０１２３】
さらに、モータ２０の駆動力により、回転部材２５と移動部材２６及びカム部材２４を一体に回転させると、図１１及び図２８に示すように、前述した一つのホルダ１９の突起２９が、案内溝３１のローディング部３３内に位置する。さらに、前述した他のホルダ１９の突起２９が、カム部材２４のくさび部３０により第１離間溝３９及び第２離間溝４０の奥即ち連結壁２８から離れた側に移動する。【０１２４】
そして、図１１及び図２８に示すように、カム部材２４のくさび部３０に設けられた案内溝３１により、前述した一つのホルダ１９がローディング位置に位置決めされる。さらに、カム部材２４のくさび部３０と移動シャーシ１８及び第２壁２７とにより即ち第１及び第２離間溝３９，４０により、前述した一つのホルダ１９を他のホルダ１９から離す。さらに、第１及び第２離間溝３９，４０により、他のホルダ１９を位置決めする。【０１２５】
そして、駆動源としてのモータ４１の駆動力によりローラ１４がＣＤ２を出し入れする方向に応じて回転する。ローラ１４が回転することで、挿入口１０を通して機器本体３内にＣＤ２の出し入れが行われる。前述したＣＤ２の出し入れを停止する際には、ローラ１４の回転を停止するとともに、モータ２０の駆動力により、回転部材２５と移動部材２６及びカム部材２４を先ほどと逆向きに回転する。【０１２６】
前述したように、カム部材２４を矢印Ｋに沿って移動することで、第１離間溝３９の溝幅と第２離間溝４０の溝幅とを連動して拡縮することで、所望のホルダ１９をローディング位置に位置決めするとともに他のホルダ１９から離す。例えば、図２９に示すように、図中上から二番目のホルダ１９をローディング位置に位置付ける際や、図３０に示すように、図中下から二番目のホルダ１９をローディング位置に位置付ける際も同様である。なお、図２９及び図３０に示す状態では、図３７及び図３８に示すように、第２突起４５が第２平行部５２内に位置するとともに、第１突起４３が、第１傾斜部５０内に位置する。【０１２７】
本実施例によれば、ディスク搬送部４が互いに近づく方向に付勢された搬送ローラ１３とガイド部材８２を備え、機器本体３にＣＤ２を出し入れする出入位置で押圧部材８０，８１が搬送ローラ１３をガイド部材８２から離して、これら搬送ローラ１３のローラ１４とガイド部材８２との間にＣＤ２を挟んで、該ＣＤ２を機器本体３に出し入れしている。そして、機器本体３にＣＤ２を出し入れする時のみ搬送ローラ１３とガイド部材８２とをＣＤ２の主面に直交（交差）する方向に互いに離し、機器本体３にＣＤ２を出し入れしない時には搬送ローラ１３とガイド部材８２を互いに近づけておく。【０１２８】
こうすることで、特に、機器本体３にＣＤ２を出し入れしない時則ちディスク搬送部４の非搬送時の搬送ローラ１３とガイド部材８２を含んだディスク搬送部４全体の厚みＤ（図４３などに示す）を抑制している。このため、ディスク搬送部４則ちＣＤチェンジャ１全体の小型化を可能としている。【０１２９】
また、前述した実施形態では、出入位置則ち１の位置である一方の終端付近で搬送ローラ１３とガイド部材８２とが離間し、それ以外では搬送ローラ１３とガイド部材８２とが近接している。しかしながら、本発明では、出入位置則ち一方の終端付近で搬送ローラ１３とガイド部材８２とが離間し、収容位置則ち他方の終端付近で搬送ローラ１３とガイド部材８２とが近接すれば、出入位置と収容位置との間では搬送ローラ１３とガイド部材８２とが近接しても良く離間しても良い。【０１３０】
一対の挟持部材の一方がＣＤ２を搬送する搬送ローラ１３であり、他方がＣＤ２を搬送経路に維持するガイド部材８２である。このガイド部材８２は、合成樹脂により形成されているため、搬送ローラ１３を上下に設置する場合よりも、ディスク搬送部４の厚みＤを薄くすることが可能である。【０１３１】
ガイド部材８２の突部８２ａがＣＤ２と接触する位置と、搬送ローラ１３がＣＤ２と接触する位置とが、ＣＤ２の搬送方向（機器本体３の奥行き方向Ｙ）に沿って離間している。このため、搬送ローラ１３のローラ１４とガイド部材８２が互いに近づいて近接する場合に、突部８２ａとローラ１４が当接しないため、ディスク搬送部４の厚みＤを更に抑制し、ＣＤチェンジャ１全体の小型化を可能としている。【０１３２】
ディスク搬送部４がＣＤ２から情報を読み出すディスク再生部５と共にロードフレーム８４（移動シャーシ１６）に支持され、ＣＤ２の主面に対し交差する方向（前述した矢印Ｋ）に沿って移動する。このため、ディスク搬送部４を移動するために専用の駆動源などを設ける必要がないので、部品点数の増加を防止でき、より一層の小型化を図ることができる。【０１３３】
任意に選択されたＣＤ２を保持したホルダ１９の突起２９を案内溝３１に係合させる。選択されたホルダ１９の矢印Ｋ１側（上方）の他のホルダ１９の突起２９を第１離間溝３９に係合させ、かつ矢印Ｋ２側（下方）の他のホルダ１９の突起２９を第２離間溝４０に係合させる。こうして、突起２９を案内溝３１と第１離間溝３９と第２離間溝４０に係合させて、選択されたＣＤ２を他のＣＤ２から離して、選択されたＣＤ２から情報を読み出す。【０１３４】
また、離間溝拡縮機構２１により、第１及び第２離間溝３９，４０の溝幅が互いに連動して（相対的に）変化するとともに、第１離間溝３９の溝幅と第２離間溝４０の溝幅の和がホルダ１９の数から１を引いて得られた数と突起２９の幅との積に略等しい。このため、がたつくことなく、前述した選択されたＣＤ２を保持したホルダ１９と、他のホルダ１９を位置決めできる。【０１３５】
このため、コイルばねを設けることなく、離間溝拡縮機構２１が第１及び第２離間溝３９，４０の溝幅を連動して（相対的に）変化することで、選択された任意のＣＤ２を保持したホルダ１９を、他のホルダ１９から離すことができる。これにより、ＣＤチェンジャ１が自動車などに搭載されて、走行中などの振動が作用しても、ホルダ１９が振動することを防止できる。したがって、確実に任意に選択されたＣＤ２を保持したホルダ１９を確実に再生位置に位置付けることができる。自動車などに搭載されて、走行中などの振動が作用しても、任意に選択されたＣＤ２の情報を確実に再生することができる。【０１３６】
離間溝拡縮機構２１が、移動部材２６と、この移動部材２６に矢印Ｋに沿って移動自在に設けられたカム部材２４とを備えている。移動部材２６に取り付けられた移動シャーシ１８とカム部材２４のくさび部３０との間が第１離間溝３９を形成し、移動部材２６の第２壁２７ｂとカム部材２４のくさび部３０との間が第２離間溝４０を形成し、カム部材２４のくさび部３０に案内溝３１が形成されている。【０１３７】
このため、カム部材２４を矢印Ｋに沿ってスライドすることで、第１及び第２離間溝３９，４０の溝幅を確実に連動して（相対的に）変化できる。さらに、任意に選択された情報が再生されるＣＤ２を保持したホルダ１９の位置に応じて、カム部材２４がスライドする。したがって、確実に任意に選択されたＣＤ２を保持したホルダ１９を確実に再生位置に位置付けることができる。【０１３８】
カム部材２４と光ピックアップ６６とが一体に（連動して）移動するので、カム部材２４と光ピックアップ６６との相対的な位置が常に一定に保たれる。このため、カム部材２４に設けられた案内溝３１により再生位置に位置決めされたホルダ１９に保持されたＣＤ２から光ピックアップ６６で情報を確実に再生することができる。【０１３９】
ＣＤ２から情報を読み出す際には、移動部材２６を矢印Ｋ１側に移動させて、選択された情報を再生するＣＤ２を保持したホルダ１９の位置に応じて、カム部材２４をスライドさせる。このため、ＣＤ２から情報を読み出す際には、任意のＣＤ２を再生位置に位置付けることができる。したがって、任意のＣＤ２から情報を読み出して再生できる。【０１４０】
また、ＣＤ２を出し入れする際には、カム部材２４を矢印Ｋ２側に移動させて、このカム部材２４の位置と出し入れするＣＤ２に対応したホルダ１９の位置に応じて、移動部材２６をスライドさせる。このため、機器本体３に出し入れされるＣＤ２を保持する又は保持したホルダ１９と機器本体３との相対的な位置を一定に保つことができる。このため、ＣＤ２を挿入口１０内を通して確実に出し入れすることができるとともに、機器本体３内に挿入されたＣＤ２をホルダ１９に確実に保持できる。【０１４１】
また、連動移動機構２２により、ホルダ１９をホルダ収容位置と再生位置とに亘って移動することと、ホルダ１９をローディング位置に位置決めすることを一連の動作で行うことができる。このため、部品点数の削減とコストの低減を図ることができる。さらに、ホルダ１９をホルダ収容位置と再生位置とに亘って移動する状態とＣＤ２を出し入れする状態とをスムーズに切り換えることができる。【０１４２】
連動移動機構２２が、第１孔４４と第２孔４６が設けられた駆動シャーシ４２と、ディスク収容部６の移動シャーシ１８に設けられた第１突起４３と、ディスク再生部５の移動シャーシ１６に設けられた第２突起４５とを備えている。第１孔４４は、第１傾斜部５０と第１平行部４９とからなり、第２孔４６は、第２傾斜部５１と第２平行部５２とからなる。【０１４３】
ＣＤ２を出し入れする際には、第２突起４５が第２平行部５２内を移動し、第１突起４３が第１傾斜部５０内を移動する。これにより、ＣＤ２を出し入れする際には、ディスク再生部５の移動シャーシ１６即ちカム部材２４が、スライドせずに、位置決めされる。さらに、ＣＤ２を出し入れする際には、ディスク収容部６の移動シャーシ１８と移動部材２６即ちホルダ１９が、矢印Ｋに沿って移動する。【０１４４】
このため、機器本体３に出し入れされるＣＤ２を保持する又は保持したホルダ１９と機器本体３との相対的な位置を一定に保つことができる。したがって、挿入口１０内を通して、ＣＤ２を確実に出し入れすることができるとともに、機器本体３内に挿入したＣＤ２をホルダ１９に確実に保持できる。【０１４５】
ホルダ１９をホルダ収容位置と再生位置とに亘って移動する際には、第１突起４３が第１平行部４９内を移動し、第２突起４５が第２傾斜部５１内を移動する。これにより、ホルダ１９をホルダ収容位置と再生位置とに亘って移動する際には、ディスク収容部６の移動シャーシ１８と移動部材２６即ちホルダ１９を、スライドせずに位置決めできる。さらに、ホルダ１９をホルダ収容位置と再生位置とに亘って移動する際には、ディスク再生部５の移動シャーシ１６即ちカム部材２４が、矢印Ｋに沿って移動する。【０１４６】
このため、ＣＤ２から情報を読み出す際には、任意のＣＤ２を再生位置に確実に位置決めすることができる。したがって、任意のＣＤ２から情報を読み出して再生できる。【０１４７】
移動部材２６が円管状に形成され、カム部材２４が円管状に形成されている。移動シャーシ１８と第２壁２７は移動部材２６の両縁に設けられている。移動部材２６とカム部材２４と回転部材２５は、同軸に配され、モータ２０の駆動力により一体に回転する。このように、移動部材２６とカム部材２４と回転部材２５を回転することで、ホルダ１９をホルダ収容位置と再生位置とに亘って移動できる。したがって、移動部材２６とカム部材２４と回転部材２５の移動軌跡を最小限にすることができ、機器本体３即ちＣＤチェンジャ１の小型化を図ることができる。【０１４８】
さらに、カム部材２４と移動部材２６とを矢印Ｋに沿ってスライドすることを単一のモータ４１で行っている。このため、部品点数を抑制でき、ＣＤチェンジャ１の小型化と低コスト化を図ることができる。【０１４９】
前述した実施例では、ディスク形情報記録媒体としてのＣＤ２を複数収容するＣＤチェンジャ１を示している。しかしながら、本発明では、例えば、ディスク形情報記録媒体としてのＭＤ（Mini Disc）を複数収容するＭＤチェンジャや、例えば、ＤＶＤ（Digital Versatile Disc）などの他のディスク形情報記録媒体を複数収容する情報記録媒体再生装置に適用しても良い。さらに、本発明は、前述したＭＤやＤＶＤなどの情報記録媒体を１枚だけ収容して、収容した１枚の情報記録媒体の情報を読み出す情報記録媒体再生装置に適用しても良いことは勿論である。【０１５０】
また、前述した実施例では、ディスク搬送部４とディスク再生部５とを一体に矢印Ｋに沿って移動自在にしている。しかしながら、本発明では、ディスク搬送部４とディスク再生部５とが連動して矢印Ｋに沿って移動自在であっても良く、ディスク搬送部４とディスク再生部５とが連動して（一体に）矢印Ｋに沿って移動しなくても良い。【０１５１】
さらに、前述した実施例では、搬送ローラ１３をガイド部材８２から離すことで、搬送ローラ１３のローラ１４とガイド部材８２との間にＣＤ２を挟んで、該ＣＤ２を機器本体３に出し入れする。しかしながら、本発明では、ガイド部材８２を搬送ローラ１３から離すことで、搬送ローラ１３のローラ１４とガイド部材８２との間にＣＤ２を挟んで、該ＣＤ２を機器本体３に出し入れしても良い。【０１５２】
また、前述した実施例では、カム部材２４と回転部材２５と移動部材２６等を円柱状に形成し、軸芯周りに回転することで、これらを移動している。しかしながら、本発明では、カム部材２４と回転部材２５と移動部材２６等を例えば板状などの円管及び円管状以外の形状に形成し、例えば、スライドなどの軸芯周りの回転以外の方向にこれらを移動しても良い。【０１５３】
さらに、前述した実施例では、カム部材２４と光ピックアップ６６とを一体に移動している。しかしながら、本発明では、カム部材２４と光ピックアップ６６とを必ずしも一体に移動しなくても良い。要するに、本発明では、カム部材２４と光ピックアップ６６とを連動させて移動することで、これらの相対的な位置間隔を一定に保つことができれば良い。【０１５４】
また、前述した実施例では、連動移動機構２２により、カム部材２４の移動と、移動部材２６の移動とを、一つの駆動源により行えるようにしている。しかしながら、本発明では、カム部材２４の移動と、移動部材２６の移動とを、互いに独立した駆動源により行っても良い。【０１５５】
前述した実施例によれば、以下のＣＤチェンジャ１が得られる。【０１５６】
（付記１）  ＣＤ２を収容する機器本体３と、
前記機器本体３に挿入された前記ＣＤ２を、前記機器本体３の収容位置に搬送するディスク搬送部４と、
を備えたＣＤチェンジャ１において、
前記ディスク搬送部４は、前記機器本体３において収容されている前記ＣＤ２の主面に交差する方向Ｋに所定区間移動するとともに、
搬送される前記ＣＤ２を挟持する搬送ローラ１３とガイド部材８２を備え、
前記搬送ローラ１３とガイド部材８２は、前記所定区間の１の位置においては前記ＣＤ２の主面に交差する方向に互いに離間し、前記所定区間の他の位置においては互いに近接することを特徴とするＣＤチェンジャ１。【０１５７】
（付記２）  前記１の位置は、前記所定区間の一方の終端付近であり、前記他の位置は、前記所定区間の他方の終端付近であることを特徴とする付記１に記載のＣＤチェンジャ１。【０１５８】
（付記３）  前記ＣＤ２から情報を読み出す再生手段と、
前記ディスク搬送部４と前記再生手段を共に支持する移動シャーシ１６を備え、
前記移動シャーシ１６の移動により、前記ディスク搬送部４が前記再生手段と共に前記所定区間移動することを特徴とする付記１に記載のＣＤチェンジャ１。【０１５９】
なお、前述した実施例は本発明の代表的な形態を示したに過ぎず、本発明は、実施例に限定されるものではない。即ち、本発明の骨子を逸脱しない範囲で種々変形して実施することができる。
【図１】
2006009116.tif 000002
【図２】
2006009116.tif 000003
【図３】
2006009116.tif 000004
【図４】
2006009116.tif 000005
【図５】
2006009116.tif 000006
【図６】
2006009116.tif 000007
【図７】
2006009116.tif 000008
【図８】
2006009116.tif 000009
【図９】
2006009116.tif 000010
【図１０】
2006009116.tif 000011
【図１１】
2006009116.tif 000012
【図１２】
2006009116.tif 000013
【図１３】
2006009116.tif 000014
【図１４】
2006009116.tif 000015
【図１５】
2006009116.tif 000016
【図１６】
2006009116.tif 000017
【図１７】
2006009116.tif 000018
【図１８】
2006009116.tif 000019
【図１９】
2006009116.tif 000020
【図２０】
2006009116.tif 000021
【図２１】
2006009116.tif 000022
【図２２】
2006009116.tif 000023
【図２３】
2006009116.tif 000024
【図２４】
2006009116.tif 000025
【図２５】
2006009116.tif 000026
【図２６】
2006009116.tif 000027
【図２７】
2006009116.tif 000028
【図２８】
2006009116.tif 000029
【図２９】
2006009116.tif 000030
【図３０】
2006009116.tif 000031
【図３１】
2006009116.tif 000032
【図３２】
2006009116.tif 000033
【図３３】
2006009116.tif 000034
【図３４】
2006009116.tif 000035
【図３５】
2006009116.tif 000036
【図３６】
2006009116.tif 000037
【図３７】
2006009116.tif 000038
【図３８】
2006009116.tif 000039
【図３９】
2006009116.tif 000040
【図４０】
2006009116.tif 000041
【図４１】
2006009116.tif 000042
【図４２】
2006009116.tif 000043
【図４３】
2006009116.tif 000044
【図４４】
2006009116.tif 000045
【図４５】
2006009116.tif 000046
【図４６】
2006009116.tif 000047
【図４７】
2006009116.tif 000048
【図４８】
2006009116.tif 000049
【手続補正書】
【提出日】平成18年5月19日(2006.5.19)
【手続補正１】
【補正対象書類名】特許請求の範囲
【補正対象項目名】全文
【補正方法】変更
【補正の内容】
【書類名】請求の範囲
【請求項１】情報記録媒体を収容する機器本体と、
前記機器本体に挿入された前記情報記録媒体を、前記機器本体の収容位置に搬送する搬送手段と、
前記情報記録媒体から情報を読み出す再生手段と、
前記搬送手段と前記再生手段を共に支持する支持手段と、
を備えた情報記録媒体再生装置において、
前記搬送手段は、前記機器本体において収容されている前記情報記録媒体の主面に交差する方向に所定区間移動するとともに、
搬送される前記情報記録媒体を挟持する一対の挟持部材を備え、
前記挟持部材は、前記所定区間の１の位置においては前記情報記録媒体の主面に交差する方向に互いに離間し、前記所定区間の他の位置においては互いに近接するとともに、
前記支持手段の移動により、前記搬送手段が前記再生手段と共に前記所定区間移動することを特徴とする情報記録媒体再生装置。
【請求項２】前記１の位置は、前記所定区間の一方の終端付近であり、前記他の位置は、前記所定区間の他方の終端付近であることを特徴とする請求項１に記載の情報記録媒体再生装置。
【手続補正２】
【補正対象書類名】明細書
【補正対象項目名】０００３
【補正方法】変更
【補正の内容】
【０００３】
ローラ１０３とガイド部材１０４とを含めた全体の厚みＤａが厚くなる傾向であった。則ち、搬送手段１０１が大型化し、機器本体１０５が厚くなり、機器本体１０５が大型化する傾向であった。
［００１０］
本発明の目的は、例えば、情報記録媒体を出し入れする搬送手段を小型化して、全体を小型化することを可能とする情報記録媒体再生装置を提供することにある。
【課題を解決するための手段】
［００１１］
前記課題を解決し目的を達成するために、本発明の情報記録媒体再生装置は、情報記録媒体を収容する機器本体と、前記機器本体に挿入された前記情報記録媒体を、前記機器本体の収容位置に搬送する搬送手段と、前記情報記録媒体から情報を読み出す再生手段と、前記搬送手段と前記再生手段を共に支持する支持手段と、を備えた情報記録媒体再生装置において、
前記搬送手段は、前記機器本体において収容されている前記情報記録媒体の主面に交差する方向に所定区間移動するとともに、搬送される前記情報記録媒体を挟持する一対の挟持部材を備え、前記挟持部材は、前記所定区間の１の位置においては前記情報記録媒体の主面に交差する方向に互いに離間し、前記所定区間の他の位置においては互いに近接するとともに、前記支持手段の移動により、前記搬送手段が前記再生手段と共に前記所定区間移動することを特徴としている。
【図面の簡単な説明】
［００１２］
［図１］従来のＣＤチェンジャの搬送手段を説明する説明図であり、（ａ）は搬送手段などの側面図であり、（ｂ）は搬送手段の正面図である。
［図２］本発明の一実施例にかかる情報記録媒体再生装置としてのＣＤチェンジャの外観を示す斜視図である。
［図３］図２に示されたＣＤチェンジャの互いに組み付けられた固定シャーシとディスク搬送部とディスク再生部とディスク収容部と分離機構を示す斜視図である。
［図４］図３に示された固定シャーシとディスク再生部とディスク収容部との一部を分解して示す斜視図である。
［図５］図４に示されたディスク収容部と駆動シャーシとの組み付け状態を示す斜視図である。
［図６］図３に示されたディスク収容部のホルダと離間溝拡縮機構とを示す斜視図である。
［図７］図６に示された離間溝拡縮機構を拡大して示す斜視図である。
【国際調査報告】
2006009116.tif 000050
2006009116.tif 000051